(57)【要約】【課題】  表示データのノイズの原因となるデータ転送装置の消費電力の変動幅を抑制し、消費電力を減少させる【解決手段】  N個（N≧２，整数）の表示装置に表示データを転送するデータ転送制御装置１を提供する。データ転送制御装置１はクロック信号生成手段１１とタイミング制御手段１２とを含む。クロック信号生成手段１１はクロック信号を生成する。タイミング制御手段１２は、クロック信号に基づいて表示データに含まれる垂直同期信号のタイミングを、N個の表示装置毎に調整する。タイミング制御手段１２は垂直同期信号のタイミングを調整することにより、各表示装置に転送される表示データのうち、いずれかの垂直ブランキング期間が他の垂直ブランキング期間と重複しないか、または、各垂直同期信号のタイミングを調整することにより、いずれかの垂直表示期間が他の表示装置の垂直表示期間と重複しないようになる。【選択図】      図１
2006039513.tif 000002
【特許請求の範囲】
【請求項１】
N個（N≧２，整数）の表示装置に表示データを転送するタイミングを制御するデータ転送制御装置であって、
クロック信号を生成するクロック信号生成手段と、
前記クロック信号に基づいて、前記表示データに含まれる垂直同期信号のタイミングを、前記N個の表示装置毎に調整するタイミング制御手段と、を有し、
前記タイミング制御手段は、
前記垂直同期信号のタイミングを調整することにより、各表示装置に転送される表示データのうち、いずれかの垂直ブランキング期間が、他の垂直ブランキング期間と重複しないか、または、前記垂直同期信号のタイミングを調整することにより、いずれかの垂直表示期間が、他の表示装置の垂直表示期間と重複しないことを特徴とする、データ転送制御装置。
【請求項２】
前記タイミング制御手段は、
前記垂直同期信号のタイミングを調整することにより、各表示装置に転送される表示データのうち、いずれかの垂直ブランキング期間が、他の垂直ブランキング期間と重複しない、かつ、いずれかの垂直表示期間が、他の表示装置の垂直表示期間と重複しないことを特徴とする、請求項１に記載のデータ転送制御装置。
【請求項３】
前記タイミング制御手段は、各表示装置に転送される表示データの垂直ブランキング期間が、前記表示データの垂直同期信号の周期TをN等分した期間T/N毎に切り替わるように、前記垂直同期信号のタイミングを調整することを特徴とする、請求項１または２に記載のデータ転送制御装置。
【請求項４】
表示データの転送速度を定義する転送クロックを生成する転送クロック生成手段をさらに備えることを特徴とする、請求項１に記載のデータ転送制御装置。
【請求項５】
前記転送クロックの周波数を調整する転送クロック調整手段をさらに備えることにより、各表示装置に転送される表示データのうち何れかの垂直ブランキング期間が、他の垂直ブランキング期間と重複しないことを特徴とする、請求項４に記載のデータ転送制御装置。
【請求項６】
各表示装置に転送される表示データの垂直ブランキング期間は、それぞれの長さが前記表示データの垂直同期信号の周期ＴｖをＮ等分した期間Ｔ／Ｎを超えず、かつＴ／Ｎ毎に切り替わるように、前記転送クロックの周波数の調整を行う転送クロック調整手段をさらに備えることを特徴とする、請求項４に記載のデータ転送制御装置。
【請求項７】
表示装置と接続されている車載搭載用の映像配信装置であって、
請求項１に記載のデータ転送制御装置と、前記データ転送制御装置が生成した制御信号に基づいて表示データを伝送する伝送手段と、前記表示データを格納するメモリと、を含むことを特徴とする、車載搭載用の映像配信装置。
【発明の詳細な説明】
【技術分野】
【０００１】
本発明は、複数の表示装置に表示データを転送するタイミングを制御するデータ転送制御装置に関する。
【背景技術】
【０００２】
近年、携帯電話や車載搭載用ＡＶ機器等、表示装置を有した電子機器が増加している。これらの電子機器は、表示装置に画像などの表示データを表示させるために、表示データを転送するタイミングを制御するデータ転送制御装置と、表示データを転送するデータ転送装置とを有している。
【０００３】
図１１に、表示データを１つの表示装置に転送するシステム例を示す。図１１のシステムは、データ転送制御装置５０１と、メモリ５０２と、データ転送装置５０３と、１つの表示装置５０４とで構成されている。データ転送制御装置５０１は、表示データの垂直同期信号を出力する。データ転送装置５０３は、データ転送制御装置５０１からの垂直同期信号に基づいて、表示データを表示装置５０４に転送する。転送された表示データは、表示装置５０４が有するデータ受信部５４１により受信され、表示装置５０４に表示される。
【０００４】
ここで、近年では、電子機器の多様化が進んでおり、特に図１２に示すように、複数の表示装置６０１ａ〜ｃを有する電子機器が増加している。
【０００５】
そこで、複数の表示装置に表示データを転送するために、特許文献１には、複数の表示装置の各々に対応したデータ転送装置を設けた技術が開示されている。図１３に、特許文献１のシステム例を示す。具体的には、表示装置７０４ａ〜ｃのそれぞれに対応したデータ転送装置７０３ａ〜ｃが設けられている。データ転送制御装置７０１は、表示データの垂直同期信号をデータ転送装置７０３ａ〜ｃに出力する。データ転送装置７０３ａ〜ｃは、垂直同期信号Ａ，Ｂ，Ｃに同期して、表示データを表示装置７０４ａ〜ｃに転送する。この時、データ転送制御装置７０１は、データ転送装置７０３ａ〜ｃのそれぞれに同一の垂直同期信号を転送する。そのため、データ転送装置７０３ａ〜ｃが表示装置７０４ａ〜ｃに表示データを転送するタイミングは全て同じとなる。
【特許文献１】特開平6-292200公報
【発明の開示】
【発明が解決しようとする課題】
【０００６】
しかしながら、特許文献１の方法では、全てのデータ転送装置７０３ａ〜ｃは一斉にそれぞれの表示装置７０４ａ〜ｃに表示データを転送し、一斉に表示データの転送を停止してしまう。ここで、各データ転送装置７０３ａ〜ｃが表示データの転送に消費する電力（以下、単に消費電力という）を“P”とする。すると、図１４に示すように、全てのデータ転送装置７０３ａ〜ｃが一斉に表示データを転送する期間では、データ転送装置７０３ａ〜ｃの総消費電力は“3×P”となる。また、全てのデータ転送装置７０３ａ〜ｃが一斉に表示データの転送を停止する期間では、データ転送装置７０３ａ〜ｃの総消費電力は“０”となる。これにより、総消費電力の変動幅は3×P−０＝3×Pとなってしまう。
【０００７】
また、特許文献１の方法は表示装置に静止画像を表示させる場合は適しているが、動画を表示させる場合には適していない。動画を表示させる場合、静止画像を表示させる場合よりも表示データを更新する頻度が多い。そのため、動画を表示させる場合では、表示データを転送する期間を、静止画像を表示する場合よりも短くする必要がある。表示データを転送する期間が短くするには、表示データを表示させるクロックの周波数を高くすればよい。すると、表示データを転送する期間と表示データの転送が停止する期間とが早い速度でスイッチングするため、データ転送装置７０３ａ〜ｃの消費電力の変動のピッチも早くなってしまう。
【０００８】
このようなデータ転送装置７０３ａ〜ｃの消費電力の変動は、データ転送装置７０３ａ〜ｃに用いられている電源のノイズとなる。電源のノイズは、転送される表示データにもノイズとしてのってしまう。特に、動画のようにクロックの周波数が高い場合は、表示データにノイズが出やすい。この現象は、自動車に搭載されたＡＶ機器で表示データを転送する際には特に注意が必要である。自動車の内部のエンジンやブレーキが、表示データのノイズの影響を受けて誤動作を起こす可能性があるからである。
【０００９】
そこで、本発明は、表示データのノイズの原因となるデータ転送装置の消費電力を減少させ、その変動を抑制させるように表示データの転送するタイミングを制御することにある。
【課題を解決するための手段】
【００１０】
前記課題を解決するために、発明１は、N個（N≧２，整数）の表示装置に表示データを転送するタイミングを制御するデータ転送制御装置を提供する。具体的には、クロック信号生成手段と、タイミング制御手段とを有する。クロック信号生成手段は、クロック信号を生成する。タイミング制御手段は、前記クロック信号に基づいて、前記表示データに含まれる垂直同期信号のタイミングを、前記N個の表示装置毎に調整する。更に、前記タイミング制御手段は、前記垂直同期信号のタイミングを調整することにより、各表示装置に転送される表示データのうち、いずれかの垂直ブランキング期間が、他の垂直ブランキング期間と重複しないか、または、前記垂直同期信号のタイミングを調整することにより、いずれかの垂直表示期間は、他の表示装置の垂直表示期間と重複しない。
【００１１】
本構成を有したデータ転送制御装置を用いると、全てのデータ転送装置が一斉に表示装置のデータ転送を停止する期間の発生を回避することができる。もしくは、全てのデータ転送装置が一斉に表示装置にデータ転送を行う期間の発生を回避することができる。そのため、各データ転送装置が表示データの転送に消費する電力を“P”とすると、データ転送のための総消費電力の変動幅を“N×P”から“（N-1)×P”に減少させることができる。従って、各データ転送装置の消費電力を減少させることができると共に、転送される表示データのノイズを軽減させることができる。
【００１２】
発明２は、前記発明１において、前記タイミング制御手段は、前記垂直同期信号のタイミングを調整することにより、各表示装置に転送される表示データのうち、いずれかの垂直ブランキング期間が、他の垂直ブランキング期間と重複しない、かつ、いずれかの垂直表示期間が、他の表示装置の垂直表示期間と重複しないことを特徴とするデータ転送制御装置を提供する。
【００１３】
この構成によると、各データ転送装置がデータ転送に要する総消費電力の最大値は、全てのデータ転送装置が一斉にデータを転送する場合よりも小さくなる。具体的には、データ転送に要する総消費電力は“(N-1)×P”以下となる。また、総消費電力の最小値は、全てのデータ転送装置が一斉にデータ転送を停止する場合よりも大きくなる。具体的には、データ転送に要する総消費電力はP以上である。従って、データ転送装置がデータ転送に要する総消費電力の変動幅は、多くても“(N-2)×P”であるため、さらに消費電力を減少し、転送される表示データのノイズを軽減させることができる。
【００１４】
発明３は、前記発明１または２において、前記タイミング制御手段は、各表示装置に転送される表示データの垂直ブランキング期間が、前記表示データの垂直同期信号の周期TをN等分した期間T/N毎に切り替わるように、前記垂直同期信号のタイミングを調整することを特徴とするデータ転送制御装置を提供する。
【００１５】
この構成によると、データ転送制御装置が各表示装置にデータ転送を停止する期間は、重複することなく全てずれている。即ち、データ転送制御装置のうちいずれか１つは、データ転送を停止している。そのため、各データ転送装置がデータ転送に消費する電力をＰとすると、データ転送のための総消費電力は常に“（N-1)×P”である。従って、各データ転送装置の消費電力は減少し、転送される表示データのノイズを軽減させることができる。
【００１６】
発明４は、前記発明１において、表示データの転送速度を定義する転送クロックを生成する転送クロック生成手段をさらに備えることを特徴とするデータ転送制御装置を提供する。
【００１７】
この構成では、転送クロックに基づいて表示データが転送される。そのため、転送クロックの速度、即ち、表示データの転送速度は表示装置の環境及び条件に応じて変化させることができる。従って、データ転送を行う期間を表示装置の条件に応じて調整することができる。
【００１８】
発明５は、前記発明４において、前記転送クロックの周波数を調整する転送クロック調整手段をさらに備えることにより、各表示装置に転送される表示データのうち何れかの垂直ブランキング期間が、他の垂直ブランキング期間と重複しないことを特徴とするデータ転送制御装置を提供する。
【００１９】
この構成によると、転送クロックの周波数を、表示装置の条件及び環境に応じて調整することができる。そのため、表示データの転送を行う期間を表示装置の条件に応じて調整することができる。更に、全てのデータ転送装置が一斉に表示データの転送を停止する期間の発生を回避することができる。そのため、各データ転送装置が表示データの転送に消費する電力を“P”とすると、データ転送のための総消費電力の変動幅を“N×P”から“1×P”に減少させることができる。従って、データ転送装置の消費電力を減少し、転送される表示データのノイズを軽減させることができる。
【００２０】
発明６は、前記発明４において、各表示装置に転送される表示データの垂直ブランキング期間は、それぞれの長さが前記表示データの垂直同期信号の周期ＴｖをＮ等分した期間Ｔ／Ｎを超えず、かつＴ／Ｎ毎に切り替わるように、前記転送クロックの周波数の調整を行う転送クロック調整手段をさらに備えることを特徴とするデータ転送制御装置を提供する。
【００２１】
この構成によると、転送クロックの周波数を、表示装置の環境及び条件に応じて調整することができる。そのため、表示データの転送を行う期間を表示装置の条件に応じて調整することができる。更に、全てのデータ転送装置が一斉に表示データの転送を停止する期間の発生を回避することができる。そのため、各データ転送装置が表示データの転送に消費する電力を“P ”とすると、データ転送のための総消費電力の変動幅を“N×P”から“1×P”に減少させることができる。従って、データ転送装置の消費電力を減少し、転送される表示データのノイズを軽減させることができる。
【００２２】
また、前記課題を解決するために、発明７は、表示装置と接続されている車載搭載用の映像配信装置を提供する。具体的には、映像配信装置は、車載搭載用の映像配信装置であって、発明１に記載のデータ転送制御装置と、伝送手段と、メモリとを含む。伝送手段は、前記データ転送制御装置が生成した制御信号に基づいて表示データを伝送する。メモリは、前記表示データを格納する。
【００２３】
本発明１のデータ転送制御装置は、全てのデータ転送装置が表示データを転送する総消費電力を減少させることで、転送される表示データのノイズを抑制することができる。従って、自動車に搭載するＡＶ機器間などの映像配信装置に本発明１にデータ転送制御装置を適用するとよい。これにより、表示データのノイズが、例えばエンジン装置やブレーキ装置に対し悪影響をおよぼすことがないため、安全である。
【発明の効果】
【００２４】
本発明によると、データ転送装置の消費電力を減少させ、その変動を抑制させるように表示データの転送タイミングを制御することができる。これにより、データ転送装置の電源及び表示データのノイズを軽減させることができる。
【発明を実施するための最良の形態】
【００２５】
以下より、本発明を図１乃至１２を用いて詳細に説明する。
【００２６】
＜第１実施形態＞
（１）構成
（１−１）全体構成
図１は、本発明の第１実施形態に係るデータ転送制御装置を用いた表示データの転送システム構成図である。図１の表示データの転送システムは、データ転送制御装置１、メモリ２、表示装置４ａ〜ｃ及びデータ転送装置３ａ〜ｃを含む。ここで、図１は、表示装置が３つあると仮定した場合について記している。
【００２７】
データ転送制御装置１は、各表示装置４ａ〜ｃのそれぞれに表示データを転送するタイミングを、各表示装置ごとに調整する。メモリ２は、表示装置４ａ〜ｃに表示される表示データを記憶している。データ転送装置３ａ〜ｃは、データ転送制御装置１から供給される垂直同期信号に基づいて、表示装置４ａ〜ｃに対し、それぞれ表示データを転送する。表示装置４ａ〜ｃは、データ転送装置３ａ〜ｃから転送される表示データを出力する。より具体的には、各表示装置４ａ〜ｃは、それぞれデータ受信部４１ａ〜ｃを有している。各データ受信部４１ａ〜ｃは、データ転送装置３ａ〜ｃから転送される表示データを受信し、表示用ドライバ（図示せず）に供給する。
【００２８】
本実施形態では、表示装置が３つの場合について記載しているが、これに限らず表示装置は何個でもよい。この場合、データ転送装置は表示装置の個数分設けられる。
【００２９】
（１−２）データ転送制御装置
データ転送制御装置１は、例えば携帯電話などの携帯型情報機器や、旅行業務用の端末、ＰＣのデュアルモニター、車載に搭載されているリアシートモニターなど、複数の表示装置に画像を転送するための制御用装置として用いられる。
【００３０】
データ転送制御装置１は、ドットクロック生成部１１（クロック信号生成手段に相当）とタイミング制御部１２とを含む。ドットクロック生成部１１はドットクロック（クロック信号に相当）を生成する。タイミング制御部１２は、各データ転送装置３ａ〜ｃに対し、垂直同期信号を供給する。タイミング制御部１２は、各垂直同期信号を調整し、各データ転送装置３ａ〜ｃに供給する垂直同期信号（以下、各垂直同期信号という）の全てが同期しないようにする。各データ転送装置３ａ〜ｃに供給される垂直同期信号の周期、垂直ブランキング期間及び垂直表示期間は、各々の表示装置が表示するデータ量、画素数、画面の大きさ及び解像度などに基づいて決定される。尚、本実施形態では、説明を容易にするため、各データ転送装置３ａ〜ｃに供給される垂直同期信号の周期、垂直ブランキング期間及び垂直表示期間は、同一の場合を例に取る。
【００３１】
具体的には、タイミング制御部１２は、垂直同期周期カウンタ１２１、垂直同期パルス幅カウンタ１２２、垂直遅延カウンタ１２３ａ〜ｃ及び垂直遅延タイミング制御部１２４を含む。垂直同期周期カウンタ１２１は、表示データの垂直同期信号の周期を生成する。垂直同期パルス幅カウンタ１２２は、各垂直同期信号のブランキング期間（垂直ブランキング期間に相当）と表示期間（垂直表示期間に相当）とを、生成する。
【００３２】
垂直遅延カウンタ１２３ａ〜ｃは、各垂直同期信号を、所定の基準タイミングから所定の期間遅延させる。ここで、所定の期間は、垂直遅延タイミング制御部１２４によって各表示装置ごとに決定される。具体的には、垂直遅延カウンタ１２３ａは、基準タイミングを所定の期間TdA遅延させる。垂直遅延カウンタ１２３ｂは、基準タイミングを所定の期間TdB遅延させる。垂直遅延カウンタ１２３ｃは、基準タイミングを所定の期間TdC遅延させる。
【００３３】
垂直遅延タイミング制御部１２４は、各垂直同期信号の遅延時間を調整する。本実施形態では、遅延時間は、各表示装置に転送される表示データのうち、いずれかの垂直ブランキング期間が、他の垂直ブランキング期間と重複しないように調整されるか、もしくは、いずれかの垂直表示期間が、他の表示装置の垂直表示期間と重複しないように調整される。この詳細については後述する。
【００３４】
このようにして、データ転送制御装置１は、表示データを転送するタイミングを調整する。
【００３５】
また、図示していないが、データ転送制御装置１は、水平同期周期カウンタ及び水平同期パルス幅カウンタを更に含む。水平同期周期カウンタは、表示データの水平同期信号の周期を生成する。水平同期パルス幅カウンタは、各垂直同期信号の水平ブランキング期間と水平表示期間とを、生成する。
【００３６】
（１−３）データ転送装置
データ転送装置３ａ〜ｃのそれぞれは、メモリデータ転送装置３１ａ〜ｃとデータ駆動装置３２ａ〜ｂとをそれぞれ含んでいる。各データ転送装置３ａ〜ｃは表示装置４ａ〜ｃと対応づけて設けられる。
【００３７】
メモリデータ転送装置３１ａ〜ｃは、メモリアドレスを記憶しており、このメモリアドレスに基づいてメモリ２から表示データを読み出す。メモリデータ転送装置３１ａ〜ｃは、読み出した表示データを、タイミング制御部１２からの各垂直同期信号に従い、表示装置４ａ〜ｃに転送する。
【００３８】
データ駆動装置３２ａ〜ｃは、各メモリデータ転送装置３１ａ〜ｃから各表示装置４ａ〜ｃへの転送データを駆動する。
【００３９】
（２）垂直同期信号と消費電力
次に、データ転送制御装置１からそれぞれのデータ転送装置に提供された垂直同期信号が、データ転送装置の消費する電力に与える影響について説明する。
【００４０】
図２は、本実施形態に係る垂直同期信号のタイミングチャートである。各垂直同期信号の周期、垂直ブランキング期間及び垂直表示期間は、同一である。説明を容易にするため、以下では、データ転送装置３ａ〜ｃにそれぞれ供給される垂直同期信号を、垂直同期信号Ａ〜Ｃと表示する。
【００４１】
本実施形態では、垂直同期信号Ａは所定の基準タイミングから時間TdAだけ遅延している。垂直同期信号Ｂは所定の基準タイミングから時間TdBだけ遅延している。垂直同期信号Ｃは所定の基準タイミングから時間TdCだけ遅延している。そして、各遅延時間は、TdA＜TdB＜TdCの関係が成り立っている。この場合、基準タイミングから遅延時間TdAが経過すると、垂直同期信号Ａの垂直ブランキング期間TbAが開始する。基準タイミングから遅延時間TdBが経過すると、垂直同期信号Ｂの垂直ブランキング期間TbBが開始する。基準タイミングから遅延期間TdCが経過すると、垂直同期信号Ｃの垂直ブランキング期間TbCが開始する。
【００４２】
また、遅延時間TdAと垂直ブランキング期間TbAとを合わせた長さは、遅延時間TdBよりも短い（TdA＋TbA＜TdB）。遅延時間TdBと垂直ブランキング期間TbBとを合わせた長さは、遅延時間TdCよりも短い（TdB＋TbB＜TdC）。遅延時間TdCと垂直ブランキング期間TbCとを合わせた長さは、遅延時間TdAと垂直同期周期Tvとを合わせた長さよりも短い（TdC＋TbC＜TdA＋Tv）。すると、垂直同期信号Ａの垂直ブランキング期間TbAは、垂直同期信号Ｂ及びＣの垂直表示期間TtB、TtCと重複する。垂直同期信号Ｂの垂直ブランキング期間TbBは、垂直同期信号Ａ及びＣの垂直表示期間TtA、TtCと重複する。また、垂直同期信号Ｃの垂直ブランキング期間TbCは、垂直同期信号Ａ及びＣの垂直表示期間TtA、TtBと重複する。
【００４３】
従って、各垂直ブランキング期間は、他の垂直ブランキング期間と重複しない。
【００４４】
図３は、図２のように垂直ブランキング期間が調整された場合の、データ転送装置３ａ〜ｃが消費する電力のタイミングチャートである。それぞれの垂直表示期間TtA〜TtCでは、各データ転送装置３ａ〜ｃは、各表示装置４ａ〜ｃにデータ転送を行っているため、それぞれ電力“P”を消費する。それぞれの垂直ブランキング期間TbA〜Cでは、各データ転送装置３ａ〜ｃは、データ転送を停止しているため、それぞれが消費する電力は“０”である。
【００４５】
すると、各データ転送装置３ａ〜ｃが表示データの転送に消費する電力の総和、即ち、データ転送装置3ａ〜cの総消費電力は、“2×P”ないしは“3×P”の範囲で変動する。具体的には、垂直同期信号のいずれか１つが垂直ブランキング期間Tbである場合は、データ転送装置の総消費電力は“2×P”であり、垂直同期信号全てが垂直表示期間Ttである場合は、データ転送装置の総消費電力は“3×P”である。
【００４６】
このように、本実施形態では、データ転送装置の総消費電力の最大値は“3×P”となり、最小値は“2×P”となる。そして、総消費電力の最大値と最小値との差、即ち、変動幅は3×P−2×P＝1×Pとなる。
【００４７】
（３）効果
本実施形態によると、全てのデータ転送装置が一斉に表示装置のデータ転送を停止する期間の発生を回避することができる。そのため、各データ転送装置が表示データの転送に消費する電力を“P”とすると、データ転送のための総消費電力の変動幅が“3×P”から”2×P”に減少する。そのため、各データ転送装置の消費電力を減少させ、転送される表示データ及び電源のノイズを軽減させることができる。
【００４８】
また、本実施形態では、タイミング制御部１２が転送タイミングを調整することによって、いずれかの垂直ブランキング期間が他のブランキング期間と重複しないようになるが、これとは異なり、タイミング制御部１２が転送タイミングを調整することにより、いずれかの垂直表示期間が他の垂直表示期間と重複しないであってもよい。このようにすると、全てのデータ転送装置が一斉に表示装置にデータ転送を行う期間の発生を回避することができる。そのため、総消費電力の最大値が “3×P”から”2×P”に減少する。従って、各データ転送装置の消費電力の変動幅を減少させ、転送される表示データ及び電源のノイズを軽減させることができる。
【００４９】
尚、本実施形態では表示装置が３つの場合について述べたが、N個（N≧2、整数）の表示装置にも本発明を適用する。この場合、データ転送装置の総消費電力の変動幅が“N×P”から“（N-1)×P”に減少する。
【００５０】
また、垂直同期信号の調整タイミングは、本実施形態の例に限定されない。
【００５１】
＜第２実施形態＞
本実施形態のデータ転送制御装置及びこれを用いた表示データの転送システムの構成は、第１実施形態と同様である。
【００５２】
（１）垂直同期信号と消費電力
図４は、転送タイミングの調整の別の例を示すタイミングチャートである。第１実施形態と同様、各垂直同期信号Ａ〜Ｃの周期、垂直表示期間及び垂直ブランキング期間は同一の長さを有している。本実施形態では、タイミング制御部１２は、各垂直同期信号の垂直ブランキング期間を、垂直同期信号の周期Tvの３等分の長さに調整する。また、タイミング制御部１２は、各垂直同期信号を調整することにより、各垂直同期信号のいずれかの垂直ブランキング期間は、他の垂直ブランキング期間と重複しないようになる。従って、３つのうちどれか１つの垂直同期信号の垂直ブランキング期間は、他の２つの垂直同期信号の垂直表示期間と重複する。即ち、各々の垂直同期信号の垂直ブランキング期間Tbは、３等分された期間毎に切り替わる。
【００５３】
このように、本実施形態では、垂直同期信号Ａ、Ｂ、Ｃのうち、常に２つが垂直表示期間で１つが垂直ブランキング期間の状態となる。そのため、各データ転送装置３ａ〜ｃがデータ転送に消費する電力を“P”とすると、データ転送装置３ａ〜ｃの総消費電力は、常に“2×P”となる。このとき、データ転送装置３ａ〜ｃの総消費電力の変動幅は“０”となる。
【００５４】
（２）効果
本実施形態によると、データ転送制御装置１が各表示装置にデータ転送を停止する期間は、重複することなく全てずれている。即ち、各垂直同期信号のうちいずれか１つは、データ転送を停止している。そのため、各データ転送装置３ａ〜ｃがデータ転送に消費する電力を“P”とすると、データ転送のための総消費電力は常に“2×P”である。従って、各データ転送装置３ａ〜ｃの消費電力は減少し、総消費電力の変動幅は“０”となり、転送される表示データ及びデータ転送装置３ａ〜ｃの電源のノイズを軽減させることができる。
【００５５】
尚、本実施形態では表示装置が３つの場合について述べたが、N個（N≧2、整数）の表示装置にも適用する。この場合、データ転送装置のデータ転送のための総消費電力は常に“(N-1)×P”となる。
【００５６】
また、垂直同期信号の調整タイミングは、本実施形態の例に限定されない。
【００５７】
＜第３実施形態＞
（１）構成
（１−１）全体構成
図５は、本発明の第４実施形態に係るデータ転送制御装置を用いた表示データの転送システム構成図である。図５の表示データの転送システムは、第１実施形態と同様である。即ち、図５の転送システムは、データ転送制御装置２０１、メモリ２０２、データ転送装置２０３ａ〜ｃ及び表示装置２０４ａ〜ｃを含む。ここで、図５は表示装置が３つあると仮定した場合について記している。
【００５８】
データ転送制御装置２０１は、各表示装置２０４ａ〜ｃのそれぞれに表示データを転送するタイミングを、各表示装置ごとに調整する。メモリ２０２は、表示装置２０４ａ〜ｃに表示される表示データを記憶している。データ転送装置２０３ａ〜ｃは、データ転送制御装置２０１から供給される垂直同期信号に基づいて、表示装置２０４ａ〜ｃに対し、それぞれ表示データを転送する。表示装置２０４ａ〜ｃは、データ転送装置２０３ａ〜ｃから転送される表示データを出力する。より具体的には、各表示装置２０４ａ〜ｃは、それぞれデータ受信部２４１ａ〜ｃを有している。各データ受信部２４１ａ〜ｃは、データ転送装置２０３ａ〜ｃから転送される表示データを受信し、表示用ドライバ（図示せず）に供給する。
【００５９】
本実施形態では、表示装置が３つの場合について記載しているが、これに限らず表示装置は何個でもよい。この場合、データ転送装置は表示装置の個数分設けられる。
【００６０】
（１−２）データ転送制御装置
本実施形態に係るデータ転送制御装置２０１は、転送クロック生成部２１８を更に含む。転送クロック生成部２１８は、表示データの転送速度を定義する転送クロックを、任意の１つの表示装置に対応して生成する。尚、本実施形態では、表示装置２０４Ｃに対応して転送クロックを生成している。また、データ転送制御装置２０１は、タイミング制御部２１２内に転送クロック調整部２１７を更に含む。転送クロック調整部２１７が転送クロックの周波数を調整することで、各表示装置に転送される表示データのうち何れかの垂直ブランキング期間は、他の垂直ブランキング期間と重複しないようになる。また、転送クロック調整部２１７は、各表示装置の状態や表示データ量に基づいて転送クロックの周波数を調整する。これにより、各垂直同期信号の垂直表示期間及び垂直ブランキング期間の長さが実質的に変更される。これについては「（２）転送クロック」で後述する。
【００６１】
尚、本実施形態では、データ転送制御装置２０１は、１つの転送クロック生成部２０１３を含むが、転送クロックは表示装置の個数に対応して複数個あってもよい。この場合、転送クロック調整部２１７は、それぞれの転送クロックの周波数を調整する。
【００６２】
このように、本実施形態のデータ転送制御装置２０１は、表示データを転送する速度、即ち転送クロックを、表示装置ごとに調整することができる。従って、本実施形態は、データ駆動装置から表示装置までの配線が長い場合、また、表示装置が有している解像度が異なる場合等に適用することができる。
【００６３】
このデータ転送制御装置２０１のその他の構成は、第１実施形態と同様である。即ち、データ転送制御装置２０１は、ドットクロック生成部２１１と、タイミング制御部２１２とを含む。ドットクロック生成部２１１は、ドットクロックを生成する。タイミング制御部２１２は、各データ転送装置２０３ａ〜ｃに対し、垂直同期信号を供給する。タイミング制御部２１２が各垂直同期信号を調整することにより、各データ転送装置２０３ａ〜ｃに供給する各垂直同期信号の全てが同期しないようになる。
【００６４】
具体的には、タイミング制御部２１２は、垂直同期周期カウンタ２１３、垂直同期パルス幅カウンタ２１４，垂直遅延カウンタ２１５ａ〜ｃ及び垂直遅延タイミング制御部２１６を含む。垂直同期周期カウンタ２１３は、表示データの垂直同期信号の周期を生成する。垂直同期パルス幅カウンタ２１４は、各垂直同期信号の垂直表示期間及びブランキング期間を、任意の１つの表示装置に対応して生成する。
【００６５】
垂直遅延カウンタ２１５ａ〜ｃは、各垂直同期信号を所定の基準タイミングから所定の期間遅延させる。ここで、所定の期間は、垂直遅延タイミング制御部２１６によって各表示装置ごとに決定される。具体的には、垂直遅延カウンタ２１５ａは、基準タイミングを所定の期間TdA遅延させる。垂直遅延カウンタ２１５ｂは、基準タイミングを所定の期間TdB遅延させる。垂直遅延カウンタ２１５ｃは、基準タイミングを所定の期間TdC遅延させる。
【００６６】
垂直遅延タイミング制御部２１６は、各垂直同期信号の遅延時間を調整する。本実施形態では、遅延時間は、いずれかの垂直ブランキング期間が、他の垂直ブランキング期間と重複しないように調整される。これについては「（３）垂直同期信号と消費電力」で後述する。
【００６７】
このようにして、データ転送制御装置２０１は、表示データを転送するタイミングを調整する。
【００６８】
また、図示していないが、データ転送制御装置２０１は、水平同期周期カウンタ及び水平同期パルス幅カウンタを更に含む。水平同期周期カウンタは、表示データの水平同期信号の周期を生成する。水平同期パルス幅カウンタは、各垂直同期信号の水平ブランキング期間と水平表示期間とを、生成する。
【００６９】
（１−３）データ転送装置
本実施形態に係るデータ転送装置は、第１実施形態と同様である。即ち、データ転送装置２０３ａ〜ｃのそれぞれは、メモリデータ転送装置２３１ａ〜ｃとデータ駆動装置２３２ａ〜cとをそれぞれ含んでいる。各データ転送装置２０３ａ〜ｃは表示装置２０４ａ〜ｃと対応づけて設けられる。
【００７０】
メモリデータ転送装置２３１ａ〜ｃは、メモリアドレスを記憶しており、このメモリアドレスに基づいてメモリ２から表示データを読み出す。メモリデータ転送装置２３１ａ〜ｃは、読み出した表示データを、タイミング制御部２１２からの各垂直同期信号に従い、表示装置２０４ａ〜ｃに転送する。
【００７１】
データ駆動装置２３２ａ〜ｃは、各メモリデータ転送装置２３１ａ〜ｃから各表示装置２０４ａ〜ｃへの転送データを駆動する。
【００７２】
（２）転送クロック
次に、転送クロックにより垂直表示期間Tt及び垂直ブランキング期間Tbがどのように変更されるかについて説明する。図６は、基準タイミング、遅延タイミング及び表示データの垂直同期信号のタイミングチャートである。
【００７３】
垂直同期パルス幅カウンタ２１４は、表示装置２０４Ｃに基づいて垂直表示期間と垂直ブランキング期間とを生成する。転送クロック調整部２１７は、表示装置２０４Ｃの状態に基づいて、転送クロックの周波数を調整する。ここで、転送クロックは表示データの転送速度であり、ドットクロックよりも早い速度を有している。転送クロックの周波数は、表示するデータを転送するための伝送線路の長さ及び解像度等により決定される。例えば、表示装置の解像度が高い場合は、表示データの転送量も多くなる。この場合、転送クロック調整部２１７は、表示期間内に表示データを転送するように転送クロックの周波数を上げる。
【００７４】
表示装置２０４Ｃに転送される表示データは、転送クロックの周波数に同期しながら垂直同期パルス幅カウンタ２１４が生成した垂直表示期間内に転送される。垂直同期パルス幅カウンタ２１４が生成した垂直表示期間Ttのうち、表示データの転送終了後の残りの期間Trは、垂直表示期間Ttの一部でありながら表示データの転送は行われない。すなわち、この期間Trは、実質的に垂直ブランキング期間の一部となる。その結果、実際の垂直表示期間Tpは、垂直同期パルス幅カウンタ２１４が決定した垂直表示期間Ttよりも短くなる（Tp＜Tt）。また、実際の垂直ブランキング期間Tqは、垂直同期パルス幅カウンタ２１４が決定した垂直ブランキング期間Tbよりも長くなる（Tq＞Tb）。
【００７５】
このようにして、転送クロック調整部は、転送クロックの間隔、即ち周波数を調整し、垂直表示期間の長さを変更する。
【００７６】
（３）垂直同期信号と消費電力
図７は、図５に示す転送システムにおける表示データの転送タイミングを示すタイミングチャートである。以下より、データ転送装置２０３ａ〜ｃにそれぞれ供給される垂直同期信号を、垂直同期信号Ａ〜Ｃと表示する。本実施形態では、各垂直同期信号Ａ〜Ｃの周期は同一の長さを有している。また、垂直同期信号Ａ及び垂直同期信号Ｂの垂直表示期間及び垂直ブランキング期間の長さはそれぞれ同一であるが、垂直同期信号Ｃの垂直表示期間及び垂直ブランキング期間の長さは、垂直同期信号Ａ、Ｂのそれとは異なっている。具体的には、転送クロック調整部２１７は、表示装置Ｃへ表示データを転送するための転送クロックを、表示装置Ａ，Ｂへ表示データを転送するための転送クロックよりも高い周波数を有するように調整する。そのため、垂直同期信号Ｃの垂直表示期間TpCの長さは、垂直同期信号Ａ、Ｂの垂直表示期間TtA、TtBよりも短い。
【００７７】
垂直同期信号Ａは所定の基準タイミングから時間TdAだけ遅延している。垂直同期信号Ｂは所定の基準タイミングから時間TdBだけ遅延している。垂直同期信号Ｃは所定の基準タイミングから時間TdCだけ遅延している。そして、各遅延時間は、TdA＜TdB＜TdCの関係が成り立っている。この場合、基準タイミングから遅延時間TdAが経過すると、垂直同期信号Ａの垂直ブランキング期間TbAが開始する。基準タイミングから遅延時間TdBが経過すると、垂直同期信号Ｂの垂直ブランキング期間TbBが開始する。垂直同期信号Ｃについては、基準タイミングから遅延時間TdCが経過する前後は垂直ブランキング期間TqCの状態である。
【００７８】
また、遅延時間TdAと垂直ブランキング期間TbAとを合わせた長さは、遅延時間TdBよりも短い（TdA＋TbA＜TdB）。遅延時間TdBと垂直ブランキング期間TbBとを合わせた長さは、遅延時間TdCよりも短い（TdB＋TbB＜TdC）。遅延時間TdCと垂直ブランキング期間TqCとを合わせた長さは、遅延時間TdAと垂直同期周期Tvとを合わせた長さよりも短い（TdC＋TqC＜TdA＋Tv）。すると、垂直同期信号Ａの垂直ブランキング期間TbAは、垂直同期信号Ｂ及びＣの垂直表示期間TtB、TpCと重複する。垂直同期信号Ｂの垂直ブランキング期間TbBは、垂直同期信号Ａ及びＣの垂直表示期間TtA、TpCと重複する。垂直同期信号Ｃの垂直ブランキング期間TqCは、垂直同期信号Ａ及びＢの垂直表示期間TtA、TtBと重複する。
【００７９】
図８は、図７のように垂直ブランキング期間が調整された時の、データ転送装置２０３ａ〜ｃが消費する電力のタイミングチャートである。それぞれの垂直表示期間TtA〜TpCでは、各データ転送装置２０３ａ〜ｃは、各表示装置２０４ａ〜ｃにデータ転送を行っているため、それぞれ電力“P”を消費する。それぞれの垂直ブランキング期間TbA〜TqCでは、各データ転送装置２０３ａ〜ｃはデータ転送を停止しているため、それぞれが消費する電力は“０”である。
【００８０】
すると、各データ転送装置２０３ａ〜ｃが表示データの転送に消費する電力の総和、即ち、データ転送装置２０３ａ〜cの総消費電力は、“3×P”ないしは“2×P”の範囲で変動する。具体的には、垂直同期信号のいずれか１つが垂直ブランキング期間Tbである場合は、データ転送装置２０３ａ〜ｃの総消費電力は“2×P”であり、垂直同期信号全てが垂直表示期間Ttである場合は、データ転送装置２０３ａ〜ｃの総消費電力は“3×P”である。
【００８１】
このように、本実施形態では、データ転送装置の総消費電力の最大値は“3×P”となり、最小値は“2×P”となる。そして、総消費電力の最大値と最小値との差、即ち、変動幅は3×P−2×P＝1×Pとなる。
【００８２】
（４）効果
本実施形態によると、転送クロック調整部は、転送クロックの周波数を、表示装置の環境及び条件に応じて調整する。この転送クロックにより表示データは転送されるため、垂直表示期間を変更することができる。更に、全てのデータ転送装置が一斉に表示装置のデータ転送を停止する期間の発生を回避することができる。そのため、各データ転送装置が表示データの転送に消費する電力を“P”とすると、データ転送のための総消費電力の変動幅が“3×P”から“1×P”に減少する。従って、各データ転送装置の消費電力を減少させ、転送される表示データ及び各データ転送装置の電源のノイズを軽減させることができる。
【００８３】
尚、本実施形態では、表示装置３つの場合について述べたが、N個（N≧2、整数）の表示装置にも本発明を適用する。この場合、データ転送装置の総消費電力の変動幅が“N×P”から“1×P”に減少する。
【００８４】
また、垂直同期信号の調整タイミングは、本実施形態の例に限定されない。
【００８５】
＜第４実施形態＞
本実施形態のデータ転送制御装置及びこれを用いた表示データの転送システムの構成は、第３実施形態と同様である。
【００８６】
（１）垂直同期信号と消費電力
図９は、転送タイミングの調整の別の例を示すタイミングチャートである。第３実施形態と同様、各垂直同期信号Ａ〜Ｃの周期は同一の長さを有している。また、垂直同期信号Ａ及び垂直同期信号Ｂの垂直表示期間及び垂直ブランキング期間の長さはそれぞれ同一であるが、垂直同期信号Ｃの垂直表示期間及び垂直ブランキング期間の長さは、垂直同期信号Ａ、Ｂのそれとは異なっている。具体的には、転送クロック調整部２１７は、表示装置Ｃへ表示データを転送するための転送クロックを、表示装置Ａ，Ｂへ表示データを転送するための転送クロックよりも低い周波数を有するように調整する。そのため、垂直同期信号Ｃの垂直表示期間TpCの長さは、垂直同期信号Ａ、Ｂの垂直表示期間TtA、TtBよりも長く、垂直同期信号Ｃの垂直ブランキング期間TqCの長さは、垂直同期信号Ａ、Ｂの垂直ブランキング期間TbA、TbBよりも短い。
【００８７】
本実施形態では、転送クロック調整部２１７は、各表示装置２０４ａ〜ｃに転送される表示データの垂直ブランキング期間が、それぞれの長さが表示データの垂直同期信号の周期Tvを３等分した期間Tv/3を越えず、かつTv/3毎に切り替わるように、転送クロックの周波数の調整を行う。
【００８８】
以下に具体的に説明する。垂直同期信号Ａに期間Tv/3が該当している場合、垂直同期信号Ａの垂直ブランキング期間TbAは、垂直同期信号Ｂ及びＣの垂直表示期間TtB、TpCと重複する。垂直同期信号Ｂに期間Tv/3が該当している場合、垂直同期信号Ｂの垂直ブランキング期間TbBは、垂直同期信号Ａ及びＣの垂直表示期間TtA、TpCと重複する。そして、垂直同期信号Ｃに期間Tv/3が該当している場合、垂直同期信号Ｃの垂直ブランキング期間TqCは、垂直同期信号Ａ及びＢの垂直表示期間TtA、TtBと重複し、垂直同期信号Ｃの垂直表示期間TpCの一部は、垂直同期信号Ａ及びＢの垂直表示期間TtA、TtBと重複する。
【００８９】
このように、本実施形態では、垂直同期信号Ａ、Ｂ、Ｃのうち１つが垂直ブランキング期間で２つが垂直表示期間の状態であるか、もしくは３つともが垂直表示期間の状態であるかのどちらかとなる。そのため、各データ転送装置２０３ａ〜ｃが消費する電力を“P”とすると、データ転送装置２０３ａ〜ｃの総消費電力は、“2×P”ないしは“3×P”の範囲で変動する。具体的には、垂直同期信号のいずれか１つが垂直ブランキング期間である場合は、データ転送装置の総消費電力は“2×P”であり、垂直同期信号全てが垂直表示期間である場合は、データ転送装置の総消費電力は“3×P”である。そして、総消費電力の最大値と最小値との差、即ち、変動幅は3×P−2×P=1×Pとなる。
【００９０】
（２）効果
本実施形態によると、転送クロック調整部は、転送クロックの周波数を、表示装置の環境及び条件に応じて調整する。この転送クロックにより表示データは転送されるため、垂直表示期間を表示装置毎に変更することができる。更に、全てのデータ転送装置が一斉に表示装置のデータ転送を停止する期間の発生を回避することができる。そのため、各データ転送装置が表示データの転送に消費する電力を“P”とすると、データ転送のための総消費電力の変動幅が“3×P”から“1×P”に減少する。従って、各データ転送装置の消費電力を減少させ、転送される表示データ及び各データ転送装置の電源のノイズを軽減させることができる。
【００９１】
尚、本実施形態では、表示装置３つの場合について述べたが、N個（N≧2、整数）の表示装置にも本発明を適用する。この場合、データ転送装置の総消費電力の変動幅が“N×P”から“1×P”に減少する。
【００９２】
また、垂直同期信号の調整タイミングは、本実施形態の例に限定されない。
【００９３】
また、本発明では、垂直同期信号の周期は表示装置全てにおいて等しいとしているが、これに限定されることはない。即ち、垂直同期信号の周期は表示装置毎に異なっていても良い。
【００９４】
また、本発明は、上述したタイミング及び順番に限定されることはなく、垂直同期信号の全ての垂直ブランキング期間が重ならないか、もしくは全ての垂直表示期間が重ならないようにすれば、どのようなタイミングや順番であってもよい。
【産業上の利用可能性】
【００９５】
本発明は、複数の表示装置に表示データを転送する場合に有効である。特に、車載搭載用の映像配信装置に適用するとよい。図１０は、車載搭載用の映像配信装置３０２と、これに接続された複数の表示装置３０１ａ〜ｃを示している。この映像配信装置３０２は、本発明のデータ転送制御装置、データ転送制御装置が生成した制御信号に基づいて表示データを転送する転送部、及び表示データを格納するメモリを含む。本発明のデータ転送制御装置は、表示装置に表示データを転送する転送用装置の消費電力の変動を抑える。そのため、伝送される表示データのノイズを抑制することができる。従って、自動車に搭載するＡＶ機器間などの映像配信装置に、本発明のデータ制御装置を適用するとよい。これにより、表示データのノイズが、例えばエンジン装置やブレーキ装置に対し悪影響をおよぼすことがないため、安全である。
【図面の簡単な説明】
【００９６】
【図１】第１実施形態に係るデータ転送制御装置を用いた表示データの転送システム構成図。
【図２】第１実施形態に係る垂直同期信号のタイミングチャート。
【図３】第１実施形態の垂直同期信号におけるデータ転送装置の消費電力のタイミングチャート。
【図４】第２実施形態の垂直同期信号におけるデータ転送装置の消費電力のタイミングチャート。
【図５】第３実施形態に係るデータ転送制御装置を用いた表示データの転送システム構成図。
【図６】転送クロックを用いたデータ転送の説明図。
【図７】第３実施形態に係る垂直同期信号のタイミングチャート。
【図８】第３実施形態の垂直同期信号におけるデータ転送装置の消費電力のタイミングチャート。
【図９】第４実施形態の垂直同期信号におけるデータ転送装置の消費電力のタイミングチャート。
【図１０】車載搭載用の映像配信装置の図。
【図１１】一つの表示装置とデータ転送制御装置とを用いた表示データの転送システム構成図。
【図１２】複数の表示装置を含む電子機器の図面。
【図１３】複数の表示装置とデータ転送制御装置を用いた表示データの転送システム構成図。
【図１４】図１３の構成に係るデータ転送装置の消費電力のタイミングチャート。
【符号の説明】
【００９７】
１  データ転送制御装置
２  メモリ
３ａ〜ｃ  データ転送装置
４ａ〜ｃ  表示装置
１１  ドットクロック生成部
１２  タイミング制御部
３１ａ〜ｃ  メモリデータ転送装置
３２ａ〜ｃ  データ駆動装置
４１ａ〜ｃ  データ受信部
１２１  垂直同期周期カウンタ
１２２  垂直同期パルス幅カウンタ
１２３ａ〜ｃ  垂直遅延カウンタ
１２４  垂直遅延タイミング制御装置
２１７  転送クロック調整部
２１８  転送クロック生成部
Tt  垂直表示期間
Tb  垂直ブランキング期間
Tv  垂直表示周期
【図１】
2006039513.tif 000003
【図２】
2006039513.tif 000004
【図３】
2006039513.tif 000005
【図４】
2006039513.tif 000006
【図５】
2006039513.tif 000007
【図６】
2006039513.tif 000008
【図７】
2006039513.tif 000009
【図８】
2006039513.tif 000010
【図９】
2006039513.tif 000011
【図１０】
2006039513.tif 000012
【図１１】
2006039513.tif 000013
【図１２】
2006039513.tif 000014
【図１３】
2006039513.tif 000015
【図１４】
2006039513.tif 000016